(57)【要約】【課題】  表示装置を大型化することなく、表示領域を拡大すること。【解決手段】  表示部と、表示部に隣接する縁部を備えた表示手段と、表示部から射出された光が入射する入射面と、入射面から入射した光を射出する射出面とを備えた導光手段と、射出面と略平行であって、表示部に表示された画像を閲覧する閲覧面と、を有する表示装置であって、表示手段は、表示装置の厚み方向において、閲覧面側とは反対側に所定の角度で屈曲した第１の領域と閲覧面に対して略平行な第２の領域を有し、第１の領域は表示部と縁部とを含み、導光手段は、入射面が第１の領域の表示部に沿って配され、射出面が、第２の領域に該当する表示部と隣接し、表示装置の厚み方向において第２の領域に該当する表示部と略同一の高さとなり、第１の領域に該当する縁部は、表示装置の厚み方向において導光手段と重畳することを特徴とする構成とした。【選択図】  図１
2016142865.tif 000002
【特許請求の範囲】
【請求項１】
第１の表示部と、当該第１の表示部に隣接する第１の縁部と、を備えた第１の表示手段と、
前記第１の表示部の前面に配され、当該第１の表示部から射出された光が入射する入射面と、当該入射面から入射した光を射出する射出面と、を備えた第１の導光手段と、
前記第１の表示手段と前記第１の導光手段を保持する第１の筐体と、
ユーザによって、前記第１の表示部に表示された画像を閲覧できる閲覧面と、
を有する表示装置であって、
前記第１の表示手段は、前記表示装置の厚み方向において、前記閲覧面が配された側とは反対側に所定の角度で屈曲している第１の領域と、前記閲覧面に対して略平行な第２の領域とを有し、
前記第１の領域は、前記第１の表示部および前記第１の縁部を含み、
前記閲覧面は、前記第１の導光手段の前記射出面と略平行であって、
前記第１の導光手段は、前記入射面が、前記第１の領域に該当する前記第１の表示部に沿うように配され、前記射出面が、前記第２の領域に該当する前記第１の表示部と隣接し、前記表示装置の厚み方向において前記第２の領域に該当する前記第１の表示部と略同一の高さであって、
前記第１の領域に該当する前記第１の縁部は、前記表示装置の厚み方向において、前記第１の導光手段と重畳することを特徴とする表示装置。
【請求項２】
前記第１の縁部は、前記第１の表示部に画像を表示させるための駆動手段を含んでいることを特徴とする請求項１に記載の表示装置。
【請求項３】
前記第１の導光手段の前記入射面は、前記第１の領域に該当する前記第１の表示部の全ての面と接することを特徴とする請求項１又は２に記載の表示装置。
【請求項４】
前記表示装置の前記閲覧面には、前記第１の領域および前記第２の領域に該当する前記第１の表示部に表示された画像が映し出されることを特徴とする請求項１乃至３の何れか一項に記載の表示装置。
【請求項５】
前記第１の導光手段は、光ファイバーによって形成された光学素子であることを特徴とする請求項１乃至４の何れか一項に記載の表示装置。
【請求項６】
前記第１の導光手段は、前記光学素子を形成する光ファイバー１つ当たりの大きさが、前記第１の表示部の１画素の大きさと略同一であることを特徴とする請求項５に記載の表示装置。
【請求項７】
前記第１の表示部は、有機ＥＬ素子によって形成されていることを特徴とする請求項５又は６に記載の表示装置。
【請求項８】
前記第１の導光手段は、前記光ファイバーのコア部の屈折率をｎとし、前記コア部を囲うアッド部の屈折率を前記コア部の屈折率ｎよりも小さいｎ´とした場合に、前記第１の導光手段の導光方向に対する前記射出面の角度Ｒが
【数１】
2016142865.tif 000009
という関係を満たすことを特徴とする請求項５乃至７の何れか一項に記載の表示装置。
【請求項９】
ユーザの位置を検出する位置検出手段と、
前記位置検出手段の検出結果に基づいて、前記第１の表示部の明るさを制御する表示制御手段と、を有することを特徴とする請求項１乃至８の何れか一項に記載の表示装置。
【請求項１０】
前記位置検出手段は、前記第１の筐体の、第１の表示部が設けられている側の面に設けられていることを特徴とする請求項９に記載の表示装置。
【請求項１１】
前記表示制御手段は、前記位置検出手段の検出結果に基づいて、前記表示装置の前記閲覧面の明るさが略一様となるように、前記第１の表示部の明るさを制御することを特徴とする請求項９又は１０に記載の表示装置。
【請求項１２】
前記第１の表示部とは異なる第２の表示部と、当該第２の表示部に隣接する第２の縁部と、を備えた第２の表示手段と、
前記第２の表示部の前面に配され、前記第２の表示部から射出された光が入射する入射面と、当該入射面から入射した光を射出する射出面と、を備えた第２の導光手段と、
前記第２の表示手段と前記第２の導光手段を保持する第２の筐体と、
前記第１の筐体と前記第２の筐体とを、回動可能に連結する連結手段と、
を有し、前記第１の表示部と前記第２の表示部とが略同一の方向を向く展開状態となることが可能な表示装置であって、
前記第２の表示手段は、前記表示装置の厚み方向において、前記閲覧面が配された側とは反対側に所定の角度で屈曲している第３の領域と、前記閲覧面に対して略平行な第４の領域とを有し、
前記第３の領域は、前記第２の表示部および前記第２の縁部を含み、
前記閲覧面は、前記第２の導光手段の前記射出面と略平行であって、
前記連結手段は、回動軸が前記第１の表示手段の前記第１の領域と前記第２の表示手段の前記第３の領域との間に設けられ、
前記第２の導光手段は、前記入射面が、前記第２の表示部の前記第３の領域に沿うように配され、前記射出面が、前記第４の領域に該当する前記第２の表示部と隣接し、前記表示装置の厚み方向において前記第４の領域に該当する前記第２の表示部と略同一の高さとなり、
前記第３の領域に該当する前記第２の縁部は、前記表示装置の厚み方向において、前記第２の導光手段と重畳することを特徴とする請求項１乃至１０の何れか一項に記載の表示装置。
【請求項１３】
前記第１の領域は、前記表示装置の前記展開状態において、前記第１の表示手段の前記第２の表示手段が配された側の端部を含み、
前記第３の領域は、前記表示装置の前記展開状態において、前記第２の表示手段の前記第１の表示手段が配された側の端部を含む、ことを特徴とする請求項１２に記載の表示装置。
【発明の詳細な説明】
【技術分野】
【０００１】
本発明は、表示装置に関する。
【背景技術】
【０００２】
従来、画像を表示する表示部を備えた表示装置について、表示領域を拡大する技術が知られている。特許文献１では、平面画像表示パネルの前面に光ガイド手段を配置することで、平面画像表示パネルの表示を拡大させる平面画像表示パネル装置が提案されている。
【先行技術文献】
【特許文献】
【０００３】
【特許文献１】特開昭６０−２２７２３２号公報
【発明の概要】
【発明が解決しようとする課題】
【０００４】
しかしながら、特許文献１の装置は、表示パネルの前面に光学ガイド手段を配置する必要があるので、装置の厚み方向（表示方向）の大きさが増加してしまう。したがって、装置が大型化してしまう。
【０００５】
本発明の目的は、表示装置を大型化することなく、表示領域を拡大することである。
【課題を解決するための手段】
【０００６】
上記目的を達成するための本発明の表示装置は、第１の表示部と、当該第１の表示部に隣接する第１の縁部と、を備えた第１の表示手段と、前記第１の表示部の前面に配され、当該第１の表示部から射出された光が入射する入射面と、当該入射面から入射した光を射出する射出面と、を備えた第１の導光手段と、前記第１の表示手段と前記第１の導光手段を保持する第１の筐体と、ユーザによって、前記第１の表示部に表示された画像を閲覧できる閲覧面と、を有する表示装置であって、前記第１の表示手段は、前記表示装置の厚み方向において、前記閲覧面が配された側とは反対側に所定の角度で屈曲している第１の領域と、前記閲覧面に対して略平行な第２の領域とを有し、前記第１の領域は、前記第１の表示部および前記第１の縁部を含み、前記閲覧面は、前記第１の導光手段の前記射出面と略平行であって、前記第１の導光手段は、前記入射面が、前記第１の領域に該当する前記第１の表示部に沿うように配され、前記射出面が、前記第２の領域に該当する前記第１の表示部と隣接し、前記表示装置の厚み方向において前記第２の領域に該当する前記第１の表示部と略同一の高さであって、前記第１の領域に該当する前記第１の縁部は、前記表示装置の厚み方向において、前記第１の導光手段と重畳することを特徴とする。
【発明の効果】
【０００７】
本発明によれば、表示装置が大型化することなく、表示装置の表示領域を拡大することができる。
【図面の簡単な説明】
【０００８】
【図１】本発明を実施した表示装置の実施形態である表示装置１００の概略図である。
【図２】本発明を実施した表示装置の実施形態である表示装置１００の内部構成を説明するブロック図である。
【図３】本発明を実施した表示装置の実施形態である表示装置１００の輝度制御について例示的に説明する図である。
【図４】２つの表示装置によって構成されるマルチディスプレイ型の表示装置に、単一の画像を分割して表示させた場合について例示的に説明した図である。
【図５】本発明に係る第１の導光手段である光学素子１４ａを形成する光ファイバー１４１単体によって導かれる光を例示的に説明する図である。
【図６】本発明の係る表示装置の変形例を説明する図である。
【発明を実施するための形態】
【０００９】
（実施形態）
以下、本発明の好ましい実施の形態を、添付の図面に基づいて説明する。以下、本発明を実施する表示装置の実施形態について、図１〜５を参照して説明する。図１は、本発明を実施した表示装置の実施形態である表示装置１００の概略図である。なお、以下の説明では、表示装置１００において画像が表示される側を正面側とし、その反対を背面側とする。図１（ａ）は、表示装置１００を正面側から見た外観図を例示的に説明する図である。図１（ｂ）は、表示装置１００を側面（底面）側から見た外観図を例示的に説明する図である。図１（ｃ）は、図１（ａ）に示すＡ−Ａ断面における表示装置１００の断面図を例示的に説明した図である。なお、説明のために、図１（ｃ）は、後述する第１の表示装置１ａのみを図示し、後述する表示部１１ａの単位画素や光学素子１４のピッチ間隔などは簡略化して図示する。図１（ｄ）は、後述する本実施形態の導光手段である光学素子１４ａおよび１４ｂを例示的に説明する図であって、光学素子１４ａのピッチ間隔などを簡略化した図である。図１（ｅ）は、表示装置１００を、展開した状態（展開状態）から折り畳む途中の外観斜視図を説明する図である。図１（ｆ）は、表示装置１００を折り畳んだ状態（収納状態）の外観斜視図を説明する図である。
【００１０】
図１（ａ）に図示するように、表示装置１００は、第１の表示装置１ａ、および第２の表示装置１ｂによって形成されたマルチディスプレイ装置である。図１（ｂ）に図示するように、本実施形態の表示装置１００は、連結手段であるヒンジ１６によって、第１の表示装置１ａと第２の表示装置１ｂとが回動可能に連結されている。具体的には、第１の表示装置１ａを形成する第１の筐体１０ａを矢印１１４ａの方向、または第２の表示装置１ｂを形成する第２の筐体１０ｂを矢印１１４ｂの方向に向けて回動させることができる。
【００１１】
なお、本実施形態の表示装置１００は、第１の表示装置１ａと第２の表示装置１ｂとが相対的に略１８０度回動できる構成であるが、表示装置１００が回動できる角度としてはどのようなものでもよい。例えば、第１の表示装置１ａと第２の表示装置１ｂとが、相対的に略３６０度回動できるような構成であってもよい。
【００１２】
また、図１（ｂ）に図示する表示装置１００の状態が展開状態であって、図１（ｆ）に図示する表示装置１００の状態が収納状態である。本実施形態では、表示装置１００が展開状態である場合に、第１の表示装置１ａと第２の表示装置１ｂの表示方向（後述する閲覧面Ｆの方向）が略同一となり、表示装置１００の厚み方向（図１（ｂ）のＺ方向）の高さが略同一となる。
【００１３】
以下、図１（ｃ）を参照して本実施形態の第１の表示装置１ａと第２の表示装置１ｂの構成について説明する。なお、第１の表示装置１ａと第２の表示装置１ｂの構成は略同一なので、以降の説明では、第１の表示装置１ａ、それぞれの表示装置ごとに異なる構成のみについて言及する。
【００１４】
表示部（第１の表示部）１１ａは、ベース部材１３ａと、ベース部材１３ａ上に配置された複数の発光部１５によって形成されている表示部である。本実施形態の表示部１１ａとしては、有機エレクトロルミネッセンス（以下、有機ＥＬと称す）素子によって形成されている。そして、表示部１１ａの駆動方式は、アクティブマトリックス方式による駆動方法を採用する。
【００１５】
表示部１１ａとして有機ＥＬ素子を採用することによって、表示部１１ａを形成する１画素ごとに発光部１５の発光量を制御することができる。すなわち、本実施形態の表示部１１ａ、ｂは、所定の範囲ごとに画面の明るさを制御（調整）することができる。
【００１６】
なお、表示部１１ａとして、ＴＦＴ型ＬＣＤ（薄膜トランジスタ駆動型液晶表示器）を採用するような構成であってもよい。この場合、表示部１１ａに含まれるバックライトの明るさ調整することによって、上述した有機ＥＬ素子を採用した場合と同様に、表示部１１ａの明るさを所定の範囲ごとに制御できる構成であればよい。また、表示部の駆動方式として、パッシブマトリックス方式による駆動方法を採用するような構成であってもよい。
【００１７】
縁部（第１の縁部）１２ａは、表示部１１ａに接続された配線や後述する駆動部１９ａなどを内包しつつ、表示部１１ａを密閉するための封止部材である。本実施形態では、縁部１２ａによって表示部１１ａの周囲が密閉されている。以降の説明では、表示部１１ａと縁部１２ａとをまとめて第１の表示手段と称する。
【００１８】
なお、本実施形態の表示装置１００では、表示部１１ａの周囲が縁部１２ａによって密閉されているような構成であるが、これに限定されるものではない。例えば、表示部１１ａの所定の２辺近傍にのみ、駆動部１９ａを設けるような構成であれば、当該２辺側のみに縁部１２ａを設けるような構成であってもよい。この場合、表示部１１ａの、縁部１２ａが設けられていない２辺近傍は、縁部１２ａ以外の部材によって密閉される。
【００１９】
図１（ｃ）に図示するように、表示装置１００の厚み方向（Ｚ方向）において、第１の表示手段（表示部１１ａと縁部１２ａ）の第２の表示装置１ｂと隣接する側の端部は、後述する閲覧面Ｆが配された側とは反対側に所定の角度で屈曲している。すなわち、表示部１１ａと縁部１２ａとを含む第１の表示手段の一方の端部は、表示装置１００における表示方向とは反対に向けて屈曲している。なお、当該表示方向とは、図１（ｃ）に図示するように、表示部１１ａの屈曲していない領域における、画像の表示方向とは反対方向である。
【００２０】
本実施形態では、上述した第１の表示手段（表示部１１ａおよび縁部１２ａ）の屈曲した領域を屈曲領域（第１の領域）とする。また、第１の表示手段の屈曲していない領域を非屈曲領域（第２の領域）とする。ここで、上述した屈曲領域には、表示部１１ａと縁部１２ａの一部とが含まれており、表示装置１００の表示方向（Ｚ方向）と略垂直ではない領域である。また、上述した非屈曲領域は、表示装置１００の表示方向（Ｚ方向）と略垂直な領域である。なお、上述した屈折領域は、後述する表示装置１００の閲覧面Ｆに対して平行ではなく、非屈折領域は、閲覧面Ｆに対して略平行の関係となる。
【００２１】
第１の表示装置１ａと同様に、第２の表示装置１ｂの第２の表示手段（表示部１１ｂおよび縁部１２ｂ）は屈曲領域（第３の領域）と非屈曲領域（第４の領域）とを有している。第２の表示装置１ｂ側の屈曲領域および非屈曲領域の構成は、前述した第１の表示装置１ａと略同一なので説明は省略する。
【００２２】
なお、第１の表示手段と第２の表示手段の屈曲領域同士および非屈曲領域同士は、第１の表示装置１ａと第２の表示装置１ｂとが隣接する辺を中心線とした線対称の関係となる位置に設けられている。したがって、表示装置１００の展開状態において、第１の表示手段の屈折領域は、第２の表示装置１ｂと隣接する側の端部を含んだ領域であって、第２の表示手段の屈折領域は、第１の表示装置１ａと隣接する側の端部を含んだ領域である。
【００２３】
次に、図１（ｃ）に図示するように、表示部１１ａの屈曲領域上には、第１の表示装置１ａの厚み方向の断面が略三角形状である光学素子１４ａが配されている。光学素子（第１の光学素子）１４ａは、表示部１１ａの前面に配され、入射面１１２から入射した光を射出面１１３へと導くことができる第１の導光手段である。
【００２４】
図１（ｃ）に図示するように、光学素子１４ａは、入射面１１２が表示部１１ａの屈曲領域に沿うように配されている。射出面１１３は、非屈曲領域に該当する表示部１１ａに隣接して配されている。また、射出面１１３は、第１の表示装置１ａの厚み方向（Ｚ方向）において、非屈曲領域に該当する表示部１１ａと略同一の高さとなる。
【００２５】
この構成により、光学素子１４ａは、屈曲領域に該当する表示部１１ａから射出された光を、非屈曲領域に該当する表示部１１ａと同じ高さへと導くことができる。したがって、表示装置１００の厚み方向の高さが非屈曲領域に該当する表示部１１ａと略同一の高さである光学素子１４ａの射出面１１３に、屈曲領域に該当する表示部１１ａに表示された画像を映し出させることができる。ここで、射出面１１３と非屈折領域に該当する表示部１１ａとが隣接しているので、非屈折領域に表示される画像と射出面１１３に映し出される画像とは継ぎ目がほとんどない画像となる。
【００２６】
なお、本実施形態の光学素子１４ａとしては、複数の光ファイバー１４１を束ねて構成されたファイバープレートを採用する。図１（ｄ）に図示するように、光学素子１４ａを形成するそれぞれの光ファイバー１４１（例えば、１４１ａ〜１４１ｅ）同士は、それぞれが平行に配置されている。したがって、それぞれの光ファイバー１４１の導光方向１１１は略平行となる。
【００２７】
なお、光学素子１４ａを形成するそれぞれの光ファイバー１４１は、表示部１１ａに表示される画像のそれぞれ異なる領域に対応した光を、入射面１１２側から導光方向１１１に向けて射出面１１３へと導く。
【００２８】
図１（ｃ）において発光部１５を挟む点線の範囲を表示部１１ａの１画素とすると、本実施形態の光学素子１４ａは、各光ファイバー１４１の断面の大きさが、表示部１１ａの１画素と略同一の大きさとなるように設定する。また、本実施形態の光学素子１４ａは、それぞれの光ファイバー１４１の中心位置が、表示部１１ａの各画素の中心位置と一致するように、位置が調整されている。
【００２９】
上述した構成によって、本実施形態の光学素子１４ａは、表示部１１ａと略同等の解像度の画像を射出面１１３上に表示することができる。また、表示部１１ａの複数画素から射出された光が、１つの光ファイバー１４１に入射することを抑制することで、光ファイバー１４１で表示される画像の色が不自然に変化することを低減することができる。
【００３０】
なお、本実施形態では、表示部１１ａの１画素の大きさと光学素子１４ａを形成する１つの光ファイバー１４１の大きさとを略同一とするような構成であるが、これに限定されるものではない。少なくとも、光学素子１４ａを形成する１つの光ファイバー１４１の断面の大きさが、表示部１１ａの１画素の大きさ以下となるような構成が望ましい。この構成であれば、表示部１１ａに対する光学素子１４ａの解像度の低下や、表示部１１ａの１画素とそれぞれ光ファイバー１４１の配置ずれによるモアレ等の影響を低減することができる。
【００３１】
また、屈曲領域に該当する表示部１１ａと光学素子１４ａの入射面１１２とは、固着時の屈折率が光学素子１４ａと略同一の接着剤によって接着されている。したがって、表示部１１ａから光学素子１４ａの入射面１１２へと入射する光が上述した入射面１１２で反射することを抑制できる。すなわち、表示部１１ａから光学素子１４ａへと導かれる光の光量が低下することを抑制することができる。
【００３２】
図１（ｃ）に図示するように、表示部１１ａの屈曲領域に該当する範囲および光学素子１４ａの（表示方向側の）前面には、拡散板１８ａが配されている。ユーザが第１の表示装置１ａに表示された画像を閲覧する場合は、この拡散板１８ａが、ユーザが実際に表示された画像を閲覧する面（閲覧面Ｆ）となる。ユーザは、この閲覧面Ｆを用いて、非屈折領域に該当する表示部１１ａに表示された画像と、屈折領域に該当する表示部１１ａに表示された後に光学素子１４ａの射出面１１３に映し出された画像とを閲覧することができる。
【００３３】
なお、閲覧面Ｆに映し出される画像は、非屈折領域に該当する表示部１１ａに表示される画像と、屈折領域に該当する表示部１１ａに表示された後に光学素子１４ａの射出面に映し出される画像同士でシームレスに繋がった画像となる。また、閲覧面Ｆに対して、非屈曲領域に該当する表示部１１ａおよび縁部１２ａと、光学素子１４ａの射出面とは略平行である。
【００３４】
第１の表示装置１ａ側と同様に、拡散板１８ｂが第２の表示装置１ｂ側の閲覧面Ｆとなる。すなわち、本実施形態の表示装置１００は展開状態において、非屈曲領域に対応する表示部１１ａおよび表示部１１ｂ、光学素子１４ａ、光学素子１４ｂが、前述した閲覧面Ｆに略平行となる。
【００３５】
なお、拡散板１８が設けられていないような場合は、非屈折領域に該当する表示部１１ａと光学素子１４ａの射出面によって形成される一面が、上述した閲覧面Ｆとなる。
【００３６】
本実施形態では、直下に光学素子１４ａが配されている閲覧面Ｆの範囲をファイバープレート（以下、ＦＰと称す）範囲１０２ａとする。また、直下に光学素子１４ａが配されておらず、直下に表示部１１ａが配されている閲覧面Ｆの範囲を非ＦＰ範囲１０１ａとする。
【００３７】
本実施形態では、第１の表示装置１ａの厚み方向において、閲覧面ＦのＦＰ範囲１０２ａと第１の表示手段の屈曲領域とが互いに重畳している。すなわち、第１の表示装置１ａの厚み方向において、光学素子１４ａと、屈曲領域に該当する表示部１１ａおよび縁部１２ａとが互いに重畳している構成である。これに対して、第１の表示装置１ａの厚み方向において、閲覧面Ｆの非ＦＰ範囲１０１ａと第１の表示手段の非屈曲領域とが互いに重畳している。
【００３８】
なお、本実施形態の光学素子１４ａは、各光ファイバー１４１のクアッド部が、屈曲領域に該当する表示部１１ａによる画像の表示方向と略平行な向きに配されている。この構成により、入射面１１２（または射出面１１３）側からの入射光以外の光は、光学素子１４ａ（のクアッド部）によって光学素子１４ａの外部へと反射される。したがって、ユーザが第１の表示装置１ａを閲覧面Ｆ側から見た場合に、屈曲領域に該当する縁部１２ａが透けることなく、屈曲領域に該当する表示部１１ａで表示された画像を見ることができる。
【００３９】
筐体１０ａは、前述した表示部１１ａ、縁部１２ａ、光学素子１４ａ、ヒンジ１６、拡散板１８ａなどを保持する第１の筐体である。
【００４０】
位置検出部１７は、筐体１０ａの表示部１１ａが配されている側の面に設けられた位置検出手段であって、表示装置１００の正面（閲覧面Ｆ）側に存在するユーザの表示装置１００に対する相対的な位置を検出することができる。本実施形態の表示装置１００は、検出したユーザの位置に関する情報に基づいて、表示部１１ａと表示部１１ｂを形成するそれぞれの発光部の発光量を制御する。この詳細については後述する。なお、位置検出部１７は、第１の表示装置１ａ側のみに設けられている。
【００４１】
第１の表示装置１ａと同様に、第２の表示装置１ｂは、筐体（第２の筐体）１０ｂによって、表示部（第２の表示部）１１ｂ、縁部（第２の縁部）１２ｂ、光学素子（第２の導光手段）１４ｂ、ヒンジ１６、拡散板１８ｂが保持されている。
【００４２】
第２の表示装置１ｂの構成は、前述した第１の表示装置１ａの構成と略同一である。第２の表示装置１ｂが第１の表示装置１ａと異なる点は、表示部１１ｂと縁部１２ｂとによって形成された第２の表示手段の端部のうち、表示装置１００の回動軸に対して第１の表示手段とは線対称となる端部が折り曲げられていることである。また、光学素子１４ｂが、表示装置１００の回動軸に対して第１の表示手段とは線対称となる位置に配されていることである。
【００４３】
図１（ａ）に図示するように、本実施形態の表示装置１００は、第１の表示装置１ａと第２の表示装置１ｂとは、ＦＰ範囲１０２ａ側の辺とＦＰ範囲１０２ｂ側の辺同士が接するように配されている。すなわち、本実施形態の表示装置１００は、第１の表示装置１ａと第２の表示装置１ｂとが互いに接する辺側の縁部１２ａおよび１２ｂが、ユーザから見えない構成である。
【００４４】
この構成により、本実施形態の表示装置１００は展開状態における、第１の表示装置１ａと第２の表示装置１ｂとの境界部分が目立つことを抑制することができる。特に、図４（ａ）に図示するように単一の画像を分割して表示させる場合は、第１の表示装置１ａと第２の表示装置１ｂの装置間の境界部分が目立ちにくい、品位の高い画像を表示装置１００に表示させることができる。
【００４５】
図４は、２つの表示装置によって構成されるマルチディスプレイ型の表示装置に、単一の画像を分割して表示させた場合について例示的に説明した図である。図４（ａ）は、本発明を実施した表示装置の実施形態である表示装置１００に単一の画像を分割して表示させた場合を例示的に説明する図である。図４（ｂ）は、従来のマルチディスプレイ型の表示装置に単一の画像を分割して表示させた場合について例示的に説明した図である。
【００４６】
図４（ｂ）に図示する表示装置２００は、２つの表示装置２００ａと２００ｂ同士が接する辺側の表示部２１１ａ、２１１ｂ、および縁部２１２ａ、２１２ｂが屈曲しておらず、光学素子１４ａのような導光手段が配されていない。したがって、ユーザが表示装置２００を閲覧面Ｆ側から見た場合に、縁部２１２ａおよび２１２ｂによって、表示装置２００ａと表示装置２００ｂとの間に境界部分が目立ってしまう。この場合、表示装置２００に単一の画像を分割して表示させたとしても、画像の略中央部分に境界部分によって遮られたような画像が表示されてしまう。
【００４７】
これに対して、本実施形態の表示装置１００は、展開状態において、２つの表示装置１ａと１ｂとが隣接する辺の表示部１１ａと縁部１２ａ、および表示部１１ｂと縁部１２ｂが所定の角度で屈曲している。そして、当該屈曲した表示部および縁部に沿って、光学素子１４ａまたは１４ｂが設けられている。さらに、表示装置１００を閲覧面Ｆ（表示方向）側から見た場合に、縁部１２ａ、１２ｂが光学素子１４ａ、１４ｂと重畳している。
【００４８】
また、第１の表示装置１ａと第２の表示装置１ｂのそれぞれに配される光学素子１４ａと光学素子１４ｂは、表示装置１００の厚み方向において、非屈曲領域に該当する表示部１１ａおよび１１ｂと略同一の高さとなる。
【００４９】
以上説明した構成によって、表示装置の展開状態において、単一の画像を分割してそれぞれの表示部に表示させる場合であっても、分割して表示した画像間が縁部１２ａ、１２ｂによって遮られることはない。そして、表示装置１００の閲覧面Ｆ側において、光学素子１４ａ、１４ｂが、非屈折領域に該当する表示部１１ａ、１１ｂの面から突出することはない。したがって、本実施形態の表示装置１００は、装置を大型化することを抑制しつつ、表示領域を拡大させることができる。
【００５０】
また、図１（ｅ）、図１（ｆ）に図示するように、本実施形態の表示装置１００は、ヒンジ１６により、第１の表示装置１ａと第２の表示装置１ｂとが回転可能に連結され、展開状態と収納状態とに変形させることができる。したがって、本実施形態の表示装置１００は、画像を表示させる場合以外は、第１の表示装置１ａおよび第２の表示装置１ｂを折り畳むことで、小型化を実現することができる。
【００５１】
また、本実施形態の表示装置１００は、各表示部の折り曲げられた端部上に光学素子１４ａおよび１４ｂを配する構成なので、各表示部の全面に光学素子を配する場合よりも、表示装置１００の厚み方向の大きさとコストが増加することを抑制することができる。
【００５２】
なお、本実施形態の表示装置１００では、ヒンジ１６を後述する閲覧面Ｆ側に設けるような構成であったが、これに限定されるものではない。例えば、表示装置１００の背面側にヒンジ１６を設け、表示装置１００を折り畳んだ状態で、第１の表示装置１ａの表示部１１ａと第２の表示装置１ｂの表示部１１ｂとが、互いに異なる方向を向くような構成であってもよい。
【００５３】
図２は、本発明を実施した表示装置の実施形態である表示装置１００の内部構成を説明するブロック図である。以下、図２を参照して、表示装置１００の内部構成について詳細を説明する。
【００５４】
図２に図示するように、駆動部１９ａは、表示部１１ａに画像を表示させるための内蔵駆動回路などを含む第１の駆動手段である。また、駆動部１９ｂは、表示部１１ｂに画像を表示させるための内蔵駆動回路などを含む第２の駆動手段である。
【００５５】
メモリ部２１は、表示装置１００に表示させる画像のデータや、表示装置１００の動作や処理に使用する種々のデータやプログラムが格納されたメモリである。例えば、メモリ部２１には、表示部１１ａ、１１ｂや、光学素子１４ａ、１４ｂの視野角特性に関する情報、および、当該視野角特性に応じた発光部１５の発光量に関する情報などが記録されている。なお、本実施形態のメモリ部２１は、メモリーカードなどの不図示の記録媒体に記録された画像データを、後述する表示制御部２０を介して取得し、当該画像データを記録することができる。
【００５６】
表示制御部２０は、表示装置１００の動作を統括的に制御する制御手段である。例えば、表示制御部２０は、メモリ部２１に記録されている画像データを読み出して駆動部１９ａ、１９ｂを駆動することによって、読み出された画像データに対応する画像を表示部１１ａ、１１ｂに表示させることができる。
【００５７】
また、表示制御部２０は、前述した位置検出部１７によるユーザの位置検出を制御する制御手段でもある。以下、本実施形態の位置検出処理の詳細について説明する。前述した位置検出部１７は、不図示の位置検出センサ（撮像素子）と当該センサへと被写体の光学像を導く不図示の光学レンズによって構成されている。なお、当該光学レンズとしては、出来るだけ広い画角を前述したセンサへと導くことができる、所謂広角レンズであることが望ましい。
【００５８】
表示装置１００が展開状態にされたことに応じて、後述する表示制御部２０は、位置検出部１７によって表示装置１００の正面側を撮像させ、当該撮像に対応した画像を取得する。そして、表示制御部２０は、取得した画像において、表示装置１００を閲覧しているユーザの位置を検出する。なお、ユーザの位置判定方法としては、公知の顔検出方法や人体検出方法などを用いて、取得した画像内の人物領域を検出する。そして、当該人物領域が検出された画像内の位置にユーザが位置すると判定する。
【００５９】
表示制御部２０は、上述したユーザの位置検出処理を表示装置１００が展開状態にされている期間において繰り返し実行することで、検出したユーザの位置が変化したか否かを判定する。
【００６０】
本実施形態の表示装置１００は、上述した、ユーザの位置に関する検出結果や、ユーザの位置の変化に関する判定結果に基づいて、表示部１１ａおよび表示部１１ｂの輝度を調整（制御）する構成である。以下、図３を参照してこの詳細を説明する。
【００６１】
図３は、本発明を実施した表示装置の実施形態である表示装置１００の表示制御について例示的に説明する図である。図３（ａ）は、ユーザの位置（視線方向）に応じた、表示装置１００の視野角特性（拡散特性）について例示的に説明した図である。図３（ｂ）は、表示装置１００を正面側から見た場合の表示装置１００の輝度差を例示的に説明する図である。図３（ｃ）は、表示装置１００を図３（ａ）に図示する視線方向１１５ｂから見た場合の表示装置１００の輝度差を例示的に説明する図である。なお、図３（ｂ）、（ｃ）において、黒色に近い（斜線が太く、斜線間の幅が狭い）部分は、閲覧面Ｆに映し出される画像の輝度が小さい範囲であって、表示画像が比較的暗く表示される範囲である。また、図３（ｂ）、（ｃ）において、白色に近い（斜線が細く、斜線間の幅が広い）部分は、閲覧面Ｆに映し出される画像の輝度が大きい範囲であって、表示画像が比較的明るく表示される範囲である。なお、図３の各図の表示装置１００は、説明の為に模式的に図示したものである。
【００６２】
図３（ａ）に図示するように、表示装置１００は、光学素子１４ａ、１４ｂの視野角特性がユーザの観察方向に応じて異なる。図３（ａ）に図示する各矢印群（１２１〜１２４）は、閲覧面Ｆにおける視野角特性を例示的に説明したものである。そして、各矢印群に含まれる矢印は、その方向から表示装置１００を見た場合における閲覧面Ｆの明るさ（輝度）をそれぞれ示し、各矢印の長さがその当該輝度の強度を表している。
【００６３】
すなわち、図３（ａ）に図示する矢印群１２１は、第１の表示装置１ａの非ＦＰ範囲に対応した視野角特性（輝度）を示している。また、矢印群１２２は、第１の表示装置１ａのＦＰ範囲に対応した視野角特性（輝度）を示している。また、矢印群１２３は、第２の表示装置１ｂのＦＰ範囲に対応した視野特性（輝度）を示している。また、矢印群１２４は、第２の表示装置１ｂの非ＦＰ範囲に対応した視野角特性（輝度）を示している。例えば、ユーザが、視線方向１１５ａから表示装置１００を見た場合、閲覧面Ｆ上の各領域の輝度は矢印１２１ａ、１２２ａ、１２３ａ、１２４ａの強度となる。また、ユーザが視線方向１１５ｂから表示装置１００を見た場合、閲覧面Ｆ上の各領域の輝度は矢印１２１ｂ、１２２ｂ、１２３ｂ、１２４ｂの強度となる。
【００６４】
図３（ａ）に図示するように、非ＦＰ範囲１０１ａ、１０１ｂの視野角特性１２１、１２４は、ユーザが表示装置１００を閲覧する位置（視線方向）に関係なく略同一強度の輝度となる。すなわち、本実施形態の表示部１１ａおよび表示部１１ｂは、ユーザが表示装置１００を閲覧する位置に応じて輝度の強度が偏らないように設計されている。
【００６５】
これに対して、ＦＰ範囲１０２ａ、１０２ｂの視野角特性１２２、１２３は、ユーザの位置（視線方向）に応じて、輝度の強度が変化してしまう。これは、図１（ｄ）に図示するように、光学素子１４ａ、１４ｂを構成する各光ファイバーの導光方向１１１に対して、光学素子１４ａ、１４ｂの射出面が斜めに形成されているためである。言い換えると、表示部１１ａ、１１ｂから射出された光が光学素子１４ａ、１１ｂの入射面で反射することを防ぐために、屈曲領域に該当する表示部１１ａ、１１ｂの表示方向と、光学素子１４ａ、１４ｂの導光方向１１１とを、略同一の方向にするためである。
【００６６】
図３（ａ）に図示するように、矢印１２１ａ、１２４ａの長さよりも、矢印１２２ａ、１２３ａの長さは短い。すなわち、ユーザが視線方向１１５ａから表示装置１００を見た場合、図３（ｂ）に図示するように、表示装置１００の閲覧面Ｆにおいて、非ＦＰ範囲１０１ａ、１０１ｂよりも、ＦＰ範囲１０２ａ、１０２ｂの方が暗い画像が表示される。
【００６７】
また、ユーザが視線方向１１５ｂから表示装置１００を見た場合、図３（ｃ）に図示するように、表示装置１００の閲覧面Ｆにおいて、ＦＰ範囲１０１ａよりも、ＦＰ範囲１０２ａの方が暗い画像が表示される。すなわち、本実施形態の表示装置１００は、ＦＰ範囲１０２ａおよび１０２ｂの輝度がユーザの位置に応じて変化するので、同一の発光量で表示部１１ａと１１ｂを形成する複数の発光部１５を発光させたとしても、閲覧面Ｆにおいえて輝度ムラが生じてしまう。
【００６８】
そこで、本実施形態の表示装置１００は、ユーザの閲覧位置（視線方向）として、表示装置１００に対するユーザの位置を検出し、当該検出の結果に基づいて表示部１１ａおよび表示部１１ｂの輝度を制御することで、上述の問題に対応する。具体的には、検出したユーザの位置に応じて、閲覧面Ｆにおける非ＦＰ範囲１０１ａ、１０１ｂとＦＰ範囲１０２ａ、１０２ｂの明るさが略一様となるように、表示部１１ａおよび１１ｂを形成する複数の発光部１５の発光量を制御する。以下、その詳細について説明する。
【００６９】
表示制御部２０は、位置検出部１７の検出結果に応じた閲覧面Ｆにおける各範囲の視野角特性に関する情報をメモリ部２１から読み出す。なお、当該視野角特性に関する情報は、表示部１１ａ、ｂや、光学素子１４ａ、１４ｂの形状などの設計値等に基づくシミュレーションなどにより算出する構成であってもよいし、実際に測定するような構成であってもよい。
【００７０】
次に、表示制御部２０は、メモリ部２１から読み出した視野角特性に関する情報に基づき、閲覧面Ｆにおける各範囲の明るさが略同一となるように、表示部１１ａおよび表示部１１ｂを形成する複数の発光部１５の発光量を制御する。具体的には、図３（ａ）に図示する非ＦＰ範囲１０１ａの正面方向の輝度１２１ａのスカラ量を基準として、その他の範囲（非ＦＰ範囲１０１ｂ、ＦＰ範囲１０２ａ、ｂ）が、略同一の輝度になるように、発光部１５の発光量を制御する。
【００７１】
輝度１２１ａのスカラ量をＢ１ａとし、輝度１２２ａ〜１２４ｂのスカラ量を、それぞれＢ２ａ〜Ｂ４ｂとする。また、非ＦＰ範囲１０１ａに対応する発光部１５の発光量係数をＬ１とし、非ＦＰ範囲１０１ｂに対応する発光部１５の発光量係数をＬ４とする。さらに、ＦＰ範囲１０２ａに対応する発光部１５の発光量係数をＬ２とし、ＦＰ範囲１０２ｂに対応する発光部１５の発光量係数をＬ３とする。
【００７２】
上述した各発光量係数は、発光部１５の発光量を制御（調整）するための係数であって、表示部１１ａ、１１ｂに画像を表示させる際の発光量に発光量係数をかけ合わせることで、調整後の発光量を決定することができる。
【００７３】
例えば、ユーザが視線方向１１５ｂから表示装置１００を見る場合、非ＦＰ範囲１０１ａの発光量係数Ｌ１は式（１）より、
Ｌ１＝Ｂ１ａ／Ｂ１ｂ・・・（１）
として算出できる。
【００７４】
同様に、閲覧面Ｆにおける各範囲の発光量係数は、各範囲の視野角特性に関する情報に基づいて、各範囲における輝度値の逆数に輝度値Ｂ１ａを乗算することで算出できる。例えば、ユーザが視線方向１１５ｂから表示装置１００を見る場合、閲覧面Ｆにおける非ＦＰ範囲１０２ａの発光量係数Ｌ２は式（２）より、
Ｌ２＝Ｂ１ａ／Ｂ２ｂ・・・（２）
として算出できる。以上説明したように、表示制御部２０は、検出したユーザの位置に関する情報に応じて、閲覧面Ｆ上の各範囲の発行量係数を算出する。
【００７５】
次に、表示制御部２０は、算出した発光量係数に基づいて、閲覧面Ｆ上の各範囲に対応する発光部１５の発光量を決定する。閲覧面Ｆにおける非ＦＰ範囲１０１ａを、ユーザが視線方向１１５ａから見た場合の基準発光量Ｅｓとすると、非ＦＰ範囲１０１ａの調整後の発光量Ｅ１は式（３）より、
Ｅ１＝Ｌ１・Ｅｓ・・・（３）
として算出できる。
【００７６】
閲覧面Ｆ上のその他の範囲の発光量も同様に、基準発光量Ｅｓに算出した発光量係数を乗算することで算出する。なお、本実施形態では、発光量係数や調整後の発光量を求める際の基準として、ユーザが表示装置１００を正面側から見た場合の非ＦＰ範囲１０１ａの輝度や発光量を基準とするような構成であるが、これに限定されるものではない。例えば、ユーザが表示装置１００を正面側から見た場合の非ＦＰ範囲１０１ｂの輝度や発光量を基準として、発光量係数や調整後の発光量を求めるような構成であってもよい。
【００７７】
なお、ユーザの位置が変化する場合を想定し、少なくとも、閲覧面Ｆにおける非ＦＰ範囲の輝度や発光量を、前述した発光量係数や調整後の発光量を算出する場合の基準とすることが望ましい。これは、閲覧面Ｆにおける非ＦＰ範囲は、ユーザが表示装置１００を閲覧する位置の変化に対する明るさの変化が比較的少ないためである。この構成によって、表示装置１００を見るユーザの位置が変化した場合であっても、ユーザが感じる明るさの変化を抑制することができる。
【００７８】
以上説明したように、本実施形態の表示装置１００は、ユーザが表示装置１００を正面方向から見た場合の閲覧面Ｆにおける非ＦＰ範囲の明るさを基準として、その他の範囲の明るさを制御する。この構成により、ユーザの位置に応じた非ＦＰ範囲１０１ａ、１０１ｂと、ＦＰ範囲１０２ａ、１０２ｂとの輝度ムラを低減することができるので、閲覧面Ｆ上における各領域の明るさが略同一となる画像を、表示装置１００に表示させることができる。
【００７９】
なお、ユーザの位置や光学素子１４ａ、１４ｂの視野角特性に応じて発光量係数が大きくなると、調整後の発光量が、発光部１５が発光可能な発光量の最大値を超えてしまう場合がある。この場合は、発光部１５の発光量が最大となる閲覧面Ｆにおける範囲を基準として、他の範囲の発光部１５の発光量を制御する必要がある。
【００８０】
以下、閲覧面Ｆ上の非ＦＰ範囲１０１ａに対応する発光部１５の発光量Ｅ１に発光量係数Ｌ１を乗算することで、発光部１５の最大発光量Ｅｍａｘを超えてしまう場合について例示的に説明する。
【００８１】
この場合、非ＦＰ範囲１０１ａの調整後の発光量を、前述した最大発光量Ｅｍａｘに設定する。次に、非ＦＰ範囲１０１ａ以外の範囲については、まず、表示制御部２０は、算出した発光量係数を最大発光量Ｅｍａｘと発光量係数Ｌ１を用いて正規化する。例えば、ＦＰ範囲１０２ａの正規化後の発光量係数Ｌ２´は式（４）より、
【００８２】
【数１】
2016142865.tif 000003
【００８３】
として算出できる。ＦＰ範囲１０２ｂ、非ＦＰ範囲１０１ｂについても、同様の方法で算出することができる。表示制御部２０は、算出した各範囲の正規化後の発光量係数を用いて、調整後の発光量を算出する。
【００８４】
なお、メモリ部２１に予め記録されている視野角特性に関する情報に基づいて、表示装置１００の閲覧面Ｆ上の輝度が最も小さくなる範囲の発光量係数を用いて、前述した基準発光量Ｅｓを算出するような構成であってもよい。
【００８５】
ここで、閲覧面Ｆ上の輝度が小さくなるに従って発光量係数は大きくなるため、輝度が最も小さい範囲の発光量係数が、閲覧面Ｆにおける最大発光量係数Ｌｍａｘとなる。当該最大発光量係数Ｌｍａｘを用いて、基準発光量Ｅｓは式（５）より、
【００８６】
【数２】
2016142865.tif 000004
【００８７】
として算出する。
【００８８】
以上説明したように、本実施形態の表示装置１００は、最大発光量Ｅｍａｘに基づいて、閲覧面Ｆ上の各範囲の明るさが同一となるように、表示部１１ａと表示部１１ｂを形成する複数の発光部１５の発光量を制御する。この構成により、本実施形態の表示装置１００は、制御（調整）後の各発光部１５の発光量が、最大発光量Ｅｍａｘを超えてしまう場合であっても、閲覧面Ｆ上の各範囲の間で輝度ムラが生じることを抑制することができる。
【００８９】
以下、図５を参照して、光学素子１４ａ、１４ｂの入射面１１２と射出面１１３の関係について説明する。図５は、本発明に係る第１の導光手段である光学素子１４ａを形成する光ファイバー１４１単体によって導かれる光を例示的に説明する図である。
【００９０】
図５に図示するように、本実施形態の光ファイバー１４１は、円筒形状のコア部４１の外周を、クアッド部４２が囲うことで形成されている。なお、本実施形態の光ファイバー１４１のコア部４１およびクアッド部４２は円筒形状であるが、コア部およびクアッド部が矩形状である光ファイバーを採用するような構成であってもよい。
【００９１】
本実施形態の光ファイバー１４１では、入射面１１２から入射した光がクアッド部４２の内壁（コア部４１とクアッド部４２の境界面）で全反射を繰り返しながらコア部４１を透過する。そして、コア部４１を透過した光が射出面１１３から射出されることで、ユーザは、表示部１１ａで表示された画像を見ることができる。
【００９２】
図５に図示する光点５０は、表示部１１ａ側から射出され、光学素子１４ａの入射面１１２へと入射した光の位置を模式的に示している。以下の説明では、光点５０から、それぞれが異なる角度でコア部４１内部を透過する光線を模式的に説明した光線５１〜５２を用いて、光ファイバー１４１における光の進行方向について説明する。なお、図５に図示する視線方向１１８ａ〜１１８ｃは、ユーザが表示装置１００を見る際の位置（視線方向）を例示的に説明したものである。
【００９３】
ここで、射出面１１３と光ファイバー１４１のクアッド部４２とがなす角度を角度Ｒとし、光点５０から射出されたと仮定する光線５１、および光線５２と、入射面１１２とがなす角度を角度Ω、および角度γとする。また、光ファイバー１４１のコア部４１、クアッド部４２を形成する材料の屈折率を、それぞれｎおよびｎ‘とする。なお、上述した角度Ωは、コア部４１とクアッド部４２との臨界角である。また、前述した角度γは、角度Ωよりも小さい角度である。
【００９４】
上述したコア部４１の屈折率ｎとクアッド部４２の屈折率ｎ‘の関係は式（６）より、
【００９５】
【数３】
2016142865.tif 000005
【００９６】
として算出できる。また、臨界角Ωはスネルの法則に基づいて式（７）より、
【００９７】
【数４】
2016142865.tif 000006
【００９８】
として算出できる。
【００９９】
臨界角Ωよりも小さい入射角γで入射面１１２に入射した光線５２は、クアッド部４２ｂへの入射角もγとなる。したがって、光線５２は、クアッド部４２に全反射することなく、クアッド部４２の内部を透過する。クアッド部４２の内部は、光を吸収する材料で形成されているため、光線５２がクアッド部４２以降を透過して他の領域へと導かれることはない。
【０１００】
これに対して、光線５１は、クアッド部４２の内壁部で全反射を繰り返しながら、射出面１１３に到達する。光線５１の射出面１１３への入射角を角度φ、光線５１の射出面１１３からの射出角を角度θとすると、入射角φは式（８）より、
φ＝９０°−Ω−（９０°−Ｒ）＝Ｒ−Ω・・・（８）
として算出できる。
【０１０１】
また、射出角θは式（９）より、
【０１０２】
【数５】
2016142865.tif 000007
【０１０３】
の関係を満たす。なお、図５に図示する光線５３のように、臨界角よりも大きな角度で入射面１１２へと入射し、射出面１１３から射出する光線は、視線方向１１８ｂ側に届きやすい。そして、射出面１１３での拡散効果の影響や拡散板１８による拡散効果によって、光線５３の一部は、視線方向１１８ｃ側にも届くような構成である。
【０１０４】
以上説明したように、光ファイバー１４１の射出面１１３の傾斜角Ｒや、コア部４１の屈折率ｎに応じて、射出面１１３へと入射する光の入射角φ、および射出面１１３から射出される光の射出角θは変化する。すなわち、本実施形態の光学素子１４ａおよび１４ｂは、射出面１１３の傾斜角度Ｒやコア部４１の屈折率ｎに応じて、視野角特性が変化する。
【０１０５】
ここで、ユーザが表示装置１００を見る場合、正面方向から表示装置１００を見る機会が最も多い。したがって、光学素子１４ａ、１４ｂの視野角特性としては、少なくとも、射出面１１３から射出した光が、表示装置１００の正面方向（図５の視線方向１１８ａ）に届くことが望ましい。
【０１０６】
そこで、本実施形態では、光学素子１４ａ、１４ｂの射出面１１３の傾斜角Ｒやコア部４１の屈折率ｎ、クアッド部４２の屈折率ｎ´として式（１０）より、
【０１０７】
【数６】
2016142865.tif 000008
【０１０８】
の関係を満たすように、光学素子１４ａ、１４ｂの射出面１１３の傾斜角Ｒ、およびコア部４１の屈折率ｎ、クアッド部４２の屈折率ｎ´を設定する。この構成によって、光学素子１４ａ、１４ｂの形状や材料に起因する視野角特性の偏りを低減し、表示装置１００の正面方向における輝度の強度を向上させることができる。
【０１０９】
以上、本発明の好ましい実施形態について説明したが、本発明はこれらの実施形態に限定されず、その要旨の範囲内で種々の変形及び変更が可能である。例えば、前述した実施形態では、複数の表示装置を展開が可能なマルチディスプレイ型の表示装置について説明したが、これに限定されるものではない。前述した実施形態における第１の表示装置１ａ、または第２の表示装置１ｂ単体においても、表示装置が大型化することを抑制しつつ、表示装置の表示領域を拡大することができる。
【０１１０】
本発明の表示装置としては、前述した実施形態の第１の表示装置１ａのように、表示部１１ａと縁部１２ａとを含む表示手段の、少なくとも一方の端部が、表示装置の閲覧面Ｆが配された側とは反対側に屈曲している。そして、表示手段の屈曲した領域に沿うように、光学素子１４ａを配置し、表示装置の厚み方向において、光学素子１４ａと縁部１２ａとが互いに重畳するような構成であればよい。本発明としては、少なくとも上述した構成を採用することによって表示装置が大型化することを抑制しつつ、表示装置の表示領域を拡大することができる。
【０１１１】
なお、上述した表示装置において、上述した表示手段の折り曲げられた端部の構成を、その他の端部に適用することによって、表示装置の拡大領域を更に拡大させることもできる。
【０１１２】
また、前述した実施形態では、光学素子１４ａ、１４ｂの導光方向が、屈曲領域に該当する表示部１１ａの表示方向と略平行となるような構成であったが、これに限定されるものではない。例えば、図６（ａ）に図示するように、光学素子３１４の導光方向１１１が、光学素子３１４の射出面３１３と略直交するような構成であってもよい。図６は、本発明の係る表示装置の変形例を説明する図であって、図６（ａ）は、本発明に係る表示装置の変形例である表示装置３００の構成を例示的に説明する図である。なお、図６（ａ）に図示する表示装置３００の光学素子３１４以外の構成は、前述した実施形態の表示装置１００と略同一であるので説明は省略する。
【０１１３】
図６（ａ）に図示するように、表示装置３００の長手方向（図６（ａ）のＸ方向）において、縁部３１２の実際の寸法３０４に対して、ユーザが表示装置３００を正面側から見たときの縁部３１２の見た目上の寸法３０３を小さくすることができる。以上説明した構成により、表示装置３００が大型化することを抑制しつつ、光学素子３１４を用いることによって、表示装置３００の表示領域を拡大することができる。
【０１１４】
なお、表示装置３００は、前述した実施形態の表示装置１００と比較して、光学素子３１４の導光方向１１１が、射出面３１３に対して略垂直なので、光学素子３１４の形状や材料に起因する視野角特性の偏りを低減することができる。
【０１１５】
また、図６（ｂ）に図示すように、表示装置４００を形成する２つの表示装置のそれぞれに、前述した実施形態と略同一の位置検出部４１７ａおよび位置検出部４１７ｂを設けるような構成であってもよい。図６（ｂ）は、本発明に係る表示装置の変形例である表示装置４００の構成を例示的に説明する図である。なお、図６（ｂ）に図示する表示装置４００の位置検出部４１７ｂ以外の構成は、前述した実施形態の表示装置１００と略同一であるので説明は省略する。
【０１１６】
図６（ｂ）に図示するに、展開状態から収納状態へと、表示装置４００の状態を変更している間は、表示装置４００を構成する個々の表示装置ごとにユーザの視線方向が異なる。この場合、前述した実施形態のように、一つの位置検出部の検出結果のみに基づいて、表示装置の表示部の明るさを制御したとしても、閲覧面Ｆ上に表示される画像に輝度むらが発生してしまう場合がある。
【０１１７】
そこで、本変形例の表示装置４００は、個々の表示装置ごとに位置検出部４１７ａおよび４１７ｂを設け、当該２つの位置検出手段の検出結果に基づいて、表示部４１１ａおよび表示部４１１ｂの明るさを制御（調整）する。
【０１１８】
例えば、表示装置４００が展開状態である場合は、位置検出部４１７ａの検出結果のみに基づいて、表示部４１１ａおよび表示部４１１ｂの明るさを制御する。これに対して、表示装置４００の状態を変更している間は、位置検出部４１７ａの検出結果に応じて、位置検出部４１７ａが設けられている側の表示装置の表示部４１１ａ（を形成する発光部）の明るさを制御する。また、位置検出部４１７ｂの検出結果に応じて、位置検出部４１７ｂが設けられている側の表示装置の表示部４１１ｂの明るさを制御する。この構成であれば、表示装置４００の状態を変更している間であっても、ユーザの位置（視線方向）に応じた適切な明るさの画像を、表示装置４００に表示させることができる。
【０１１９】
なお、図６（ｂ）に図示するように、表示装置４００の状態を変更している間は、表示装置４００を構成する複数の表示装置のうち、一方の表示装置に、他方の表示装置の影が映り込んでしまう場合がある。
【０１２０】
この場合、上述した位置検出部４１７ａおよび位置検出部４１７ｂの検出結果に基づいて、影が写り込んでいる側の表示装置の表示部が、もう一方の表示装置の表示部よりも明るくなるように制御する。この構成によって、表示装置４００の状態を変更することによって発生する影の影響を低減することができる。
【符号の説明】
【０１２１】
１ａ  第１の表示装置
１ｂ  第２の表示装置
１１  表示部
１２  縁部
１４  光学素子
１００  表示装置
１１２  入射面
１１３  射出面
【図１】
2016142865.tif 000010
【図２】
2016142865.tif 000011
【図３】
2016142865.tif 000012
【図４】
2016142865.tif 000013
【図５】
2016142865.tif 000014
【図６】
2016142865.tif 000015